(57)【要約】【課題】簡単な処理で、インデックス表示モードにおいて、静止画像とともに滑らかに動く文字を表示する。【解決手段】制御部１７２は、メモリコントローラ１９２を制御して、表示画像メモリ１７４の付加情報格納領域に、付加情報メモリ１７３から読み出された付加情報を格納させ、付加情報格納領域に格納されている付加情報を、インデックス画面用静止画格納領域に直接上書きする。上書き処理の終了後、インデックス画面用静止画格納領域の静止画像には、付加情報が上書きされているので、ユーザがスクロール操作を実行した場合、１ライン、または、数ラインずつ移動されて読み出されるインデックス画面用静止画格納領域の静止画像には、付加情報が上書きされているので、スクロールされて表示されるそれぞれの静止画像とともに、チャンネル番号などの付加情報も滑らかに移動されて表示される。本発明は、テレビジョン受像機に適用できる。【選択図】      図８
2004349949.tif 000002
【特許請求の範囲】
【請求項１】
表示される画像に対応する情報を処理する画像処理装置において、
前記画像に関する情報を格納する第１の格納手段と、
前記第１の格納手段への情報の書き込みおよび読み出しを制御する制御手段と
を備え、
前記第１の格納手段は、移動または拡大縮小されて表示される画像に対応する画像情報を格納する第１の画像格納領域を有し、
前記制御手段は、移動または拡大縮小されて表示される前記画像上に付加されて表示される付加情報を、前記第１の画像格納領域に格納されている前記画像情報のうちの一部に上書きする
ことを特徴とする画像処理装置。
【請求項２】
前記第１の格納手段は、前記付加情報を格納する付加情報格納領域を更に有し、
前記制御手段は、前記付加情報格納領域に格納された前記付加情報を、前記第１の画像格納領域に格納されている前記画像情報のうちの一部に上書きする
ことを特徴とする請求項１に記載の画像処理装置。
【請求項３】
前記付加情報を格納する第２の格納手段を更に備え、
前記制御手段は、前記第２の格納手段により格納された前記付加情報を、前記第１の画像格納領域に格納されている前記画像情報のうちの一部に上書きする
ことを特徴とする請求項１に記載の画像処理装置。
【請求項４】
前記第１の画像格納領域は、複数の静止画像を格納し、
前記制御手段は、前記第１の画像格納領域に格納されている複数の前記静止画像のそれぞれの一部に、前記付加情報を上書きする
ことを特徴とする請求項１に記載の画像処理装置。
【請求項５】
前記第１の画像格納領域には、連続するフレーム画像データが順次格納され、
前記制御手段は、前記フレーム画像データのブランキング区間の情報の、前記第１の格納手段への情報の書き込み処理中に、それぞれの前記フレーム画像データのうちの一部に、前記付加情報を上書きする
ことを特徴とする請求項１に記載の画像処理装置。
【請求項６】
前記第１の格納手段は、前記第１の画像格納領域に格納されている前記画像情報とは異なる表示方法で表示される画像情報を格納する第２の画像格納領域を更に備える
ことを特徴とする請求項１に記載の画像処理装置。
【請求項７】
情報格納領域に格納された情報を表示する処理を実行する画像処理方法において、
移動または拡大縮小されて表示される画像に対応する画像情報を前記情報格納領域に格納する格納ステップと、
移動または拡大縮小されて表示される前記画像上に付加されて表示される付加情報を、前記格納ステップの処理により前記情報格納領域に格納された前記画像情報のうちの一部に上書きする上書きステップと
を含むことを特徴とする画像処理方法。
【請求項８】
情報格納領域に格納された情報を表示する処理をコンピュータに実行させるプログラムであって、
移動または拡大縮小されて表示される画像に対応する画像情報を前記情報格納領域に格納する格納ステップと、
移動または拡大縮小されて表示される前記画像上に付加されて表示される付加情報を、前記格納ステップの処理により前記情報格納領域に格納された前記画像情報のうちの一部に上書きする上書きステップと
を含むことを特徴とするプログラム。
【請求項９】
表示される画像に対応する情報を処理する画像処理装置において、
前記画像に関する情報を格納する第１の格納手段と、
前記第１の格納手段への情報の書き込みおよび読み出しを制御する制御手段と
を備え、
前記第１の格納手段は、連続したフレーム画像データを順次格納する第１の画像格納領域を有し、
前記制御手段は、前記フレーム画像データに対応する画像上に付加されて表示される付加情報を、前記第１の画像像格納領域に格納されたそれぞれの前記フレーム画像データのうちの一部に上書きする
ことを特徴とする画像処理装置。
【請求項１０】
前記制御手段は、前記フレーム画像データのブランキング区間の情報の、前記第１の格納手段への情報の書き込み処理中に、それぞれの前記フレーム画像データのうちの一部に、前記付加情報を上書きする
ことを特徴とする請求項９に記載の画像処理装置。
【請求項１１】
前記第１の格納手段は、前記付加情報を格納する付加情報格納領域を更に有し、
前記制御手段は、前記付加情報格納領域に格納された前記付加情報を、前記第１の画像格納領域に格納されたそれぞれの前記フレーム画像データのうちの一部に上書きする
ことを特徴とする請求項９に記載の画像処理装置。
【請求項１２】
前記付加情報を格納する第２の格納手段を更に備え、
前記制御手段は、前記第２の格納手段により格納された前記付加情報を、前記第１の画像格納領域に格納されたそれぞれの前記フレーム画像データのうちの一部に上書きする
ことを特徴とする請求項９に記載の画像処理装置。
【請求項１３】
前記第１の格納手段は、前記第１の画像格納領域に格納されている前記フレーム画像データとは異なる表示方法で表示される画像情報を格納する第２の画像格納領域を更に備える
ことを特徴とする請求項９に記載の画像処理装置。
【請求項１４】
情報格納領域に格納された情報を表示する処理を実行する画像処理方法において、
連続したフレーム画像データを前記情報格納領域に順次格納する格納ステップと、
前記フレーム画像に対応する画像上に付加されて表示される付加情報を、前記格納ステップの処理により前記情報格納領域に格納されたそれぞれの前記フレーム画像データのうちの一部に上書きする上書きステップと
を含むことを特徴とする画像処理方法。
【請求項１５】
情報格納領域に格納された情報を表示する処理をコンピュータに実行させるプログラムであって、
連続したフレーム画像データを前記情報格納領域に順次格納する格納ステップと、
前記フレーム画像に対応する画像上に付加されて表示される付加情報を、前記格納ステップの処理により前記情報格納領域に格納されたそれぞれの前記フレーム画像データのうちの一部に上書きする上書きステップと
を含むことを特徴とするプログラム。
【発明の詳細な説明】
【０００１】
【発明の属する技術分野】
本発明は、画像処理装置および画像処理方法、並びにプログラムに関し、特に、表示される画像に対して付加される情報を、その画像の移動または拡大縮小とともに、滑らかに移動または拡大縮小させて表示させることができるようにした、画像処理装置および画像処理方法、並びにプログラムに関する。
【０００２】
【従来の技術】
図１は、従来のテレビジョン受像機１の外観構成を示す図である。
【０００３】
テレビジョン受像機１には、例えば、ＣＲＴ（Ｃａｔｈｏｄｅ  Ｒａｙ  Ｔｕｂｅ）またはＬＣＤ（Ｌｉｑｕｉｄ  Ｃｒｙｓｔａｌ  Ｄｉｓｐｌａｙ）などで構成された表示部１２が備えられている。ユーザはリモードコマンダ２を用いて操作入力を行い、リモートコマンダ２は、赤外線により、テレビジョン受像機１にユーザの操作入力を示す信号を送信する。テレビジョン受像機１は、赤外線受信部１１が、リモートコマンダ２が送信した信号を受信することにより、ユーザが選択したチャンネルの放送を、ユーザの指定した表示方法により、表示部１２に表示させることができる。
【０００４】
このようなテレビジョン受像機において、１つの表示画面に複数の異なるチャンネルの映像を表示する技術がある（例えば、特許文献１参照）。
【０００５】
【特許文献１】
特許第３０８２２１６号公報
【０００６】
特許文献１によれば、選局されたチャンネルが学習されて、学習結果が優先順位データとして記憶され、複数映像表示操作がなされたときに、記憶された優先順位データが読み出されて、１つの表示画面が分割されて構成された複数の表示領域に、異なるチャンネルの映像が、優先順位データにしたがって表示されるので、ユーザは、所望の番組を放送しているチャンネルを速やかに見つけることができ、使い勝手が向上するようになされている。
【０００７】
１つの表示画面に複数の異なるチャンネルの映像を表示する例として、視聴している番組を主画面に表示させ、その番組以外の、いわゆる裏番組を副画面に順番に表示して、所望の番組が裏番組として放送されているか否かを確認することができるインデックス表示がある。インデックス表示を実行する場合の表示部１２の表示画面は、例えば、図２および図３に示されるように、メイン画像を表示するメイン画像表示エリア２１と、複数のチャンネルにおいて放送されている裏番組の静止画のうちの一部を表示し、ユーザの操作入力により、表示されている静止画をスクロールさせて、所望のチャンネルの静止画を表示させることができるスクロールインデックス表示エリア２２とで構成することができる。
【０００８】
図２において、スクロールインデックス表示エリア２２には、チャンネル４、チャンネル６、チャンネル８、および、チャンネル１０に対応する静止画像が表示されている。この状態において、ユーザが、リモートコマンダ２を用いて、スクロールインデックス表示エリア２２の下部に表示されている画面を見るためのスクロール操作を実行した場合、図２においてスクロールインデックス表示エリア２２の最上部に表示されていたチャンネル４に対応する静止画像のうちの一部が、図３に示されるように、スクロールインデックス表示エリア２２から外れ、スクロールインデックス表示エリア２２の下部に、チャンネル１２に対応する静止画像のうちの一部が表示される。
【０００９】
このように、スクロールインデックス表示エリア２２においては、ユーザの操作入力にしたがって、静止画像が上下に連続的にスクロールされ、現在表示されていないチャンネルの静止画像を表示させることができる。このとき、スクロールインデックス表示エリア２２に表示されているそれぞれの静止画像が、どのチャンネルで放送されている番組に対応する静止画像であるのかをユーザに通知するために、それぞれの静止画像に、対応する番組のチャンネル番号を示す文字を挿入する必要がある。しかしながら、スクロールインデックス表示エリア２２の静止画像は連続して移動するため、通常のＯＳＤ（Ｏｎ  Ｓｃｒｅｅｎ  Ｄｉｓｐｌａｙ）の挿入のように、画像処理後にチャンネル番号を挿入するようにしてしまっては、１フレームごとに、チャンネル番号の挿入位置を変更する必要があり、クロールインデックス表示エリア２２に表示される静止画像の動きに連動して、チャンネル番号を示す文字の表示位置を滑らかに移動させることは非常に困難であった。
【００１０】
図４は、スクロールインデックス表示機能を有し、チャンネル番号が、スクロールされて表示される静止画像とともに、滑らかに移動することが可能なようになされている、従来のテレビジョン受像機１の構成を示すブロック図である。
【００１１】
システムコントローラ４１は、赤外線受信部１１が受信した、ユーザがリモートコマンダ２を用いて実行した操作入力を示す信号を基に、例えば、チューナ４３−１またはチューナ４３−２が受信する放送の選局を制御したり、画像処理部４５が実行する処理を制御する。
【００１２】
チューナ４３−１は、システムコントローラ４１の制御に基づいて、アンテナ４２−１を介して、メイン画像表示エリア２１などのメイン画面に表示させるチャンネルとして指定されたチャンネルの放送波を受信し、Ｙ／Ｃ分離およびクロマデコード部４４−１に供給する。チューナ４３−２は、システムコントローラ４１の制御に基づいて、アンテナ４２−２を介して、スクロールインデックス表示エリア２２などのサブ画面に表示させるチャンネルとして指定されたチャンネルの放送波を受信し、Ｙ／Ｃ分離およびクロマデコード部４４−２に供給する。チューナ４３−２は、例えば、２画面表示など、サブ画面が１つだけの表示モードにおいては、サブ画面として指定されたチャンネルの放送波のみを受信するが、スクロールインデックス表示モードが指令された場合、スクロールインデックス表示エリア２２に表示される可能性のある全てのチャンネルの放送波を、順次受信する。
【００１３】
Ｙ／Ｃ分離およびクロマデコード部４４−１またはＹ／Ｃ分離およびクロマデコード部４４−２に供給に供給されるビデオ信号は、色相（位相角）と彩度（色を伝える副搬送波）とで構成されるクロマ信号（Ｃ）と、輝度信号（Ｙ）で構成される。Ｙ／Ｃ分離およびクロマデコード部４４−１並びにＹ／Ｃ分離およびクロマデコード部４４−２は、供給されたビデオ信号のクロマ信号と輝度信号を分離し、分離されたクロマ信号をデコードして、輝度信号（Ｙ）、色信号（Ｕ）および色信号（Ｖ）からなるアナログのコンポーネント信号に変換し、画像処理部５４に供給する。
【００１４】
画像処理部４５は、システムコントローラ４１の制御に基づいて、供給された画像データを表示部１２に表示される画像に対応する画像データに変換または合成する処理を実行する。図５は、図４の画像処理部４５の詳細な構成を示すブロック図である。
【００１５】
ＡＤコンバータ６１−１は、Ｙ／Ｃ分離およびクロマデコード部４４−１から、アナログのコンポーネント信号の供給を受け、デジタル信号に変換し、画面分割処理部６２のメイン画像データ拡大縮小処理部９１に供給する。制御部６３は、コントローラ４１から供給される制御信号に基づいて、画面分割処理部６２、高速スイッチＩＣ６５、ＯＳＤ処理用マイクロコンピュータ６４（以下、ＯＳＤマイコン６４と称する）、および、ＯＳＤ６９の動作を制御する。
【００１６】
ＯＳＤマイコン６４は、制御部６３の制御に基づいて、スクロールインデックスの静止画像上に表示され、スクロール時に静止画像とともに移動されるチャンネル番号に対応する情報として、ＲＧＢの文字情報およびファーストブランキング信号（Ｙｓ）を発生し、高速スイッチＩＣ６５に供給する。高速スイッチＩＣ６５は、Ｙ／Ｃ分離およびクロマデコード部４４−２から、アナログのコンポーネント信号の供給を受け、制御部６３の制御に基づいて、供給されたアナログのコンポーネント信号の一部を、ＯＳＤマイコン６４が発生したＲＧＢの文字情報およびファーストブランキング信号（Ｙｓ）と組み合わせる処理を実行する。すなわち、高速スイッチＩＣ６５は、供給されたアナログのコンポーネント信号のうち、チャンネル番号の文字部分に対応する画素を、ＯＳＤマイコン６４から供給された情報と置き換える処理を実行する。
【００１７】
ＡＤコンバータ６１−２は、高速スイッチＩＣ６５から、チャンネル番号が重畳されたアナログのコンポーネント信号の供給を受け、デジタル信号に変換し、画面分割処理部６２のサブ画像データ拡大縮小処理部９２に供給する。
【００１８】
画面分割処理部６２のメイン画像データ拡大縮小処理部９１は、制御部６３の制御に基づいて、供給されたデジタル信号による表示画像の大きさを、ユーザにより指示された表示モードにおけるメイン画面の大きさに合わせて変更する処理を実行し、画面合成部９６に出力するか、メモリバス９３を介して、メモリコントローラ９５に供給し、メモリ６６に保存させる。
【００１９】
画面分割処理部６２のサブ画像データ拡大縮小処理部９２は、制御部６３の制御に基づいて、供給されたデジタル信号による表示画像の大きさを、ユーザにより指示された表示モードにおけるサブ画面の大きさに合わせて変更する処理を実行し、画面合成部９６に出力するか、メモリバス９３を介して静止画抽出部９４に供給するか、または、メモリバス９３を介してメモリコントローラ９５に供給し、メモリ６６に保存させる。なお、サブ画像データ拡大縮小処理部９２は、スクロールインデックス表示モードが指令された場合、スクロールインデックス表示エリア２２に表示される可能性のある全てのチャンネルの画像データを順次供給されるので、供給された画像データに対して、表示画面の大きさをサブ画面の大きさに合わせて変更し、出力する処理を順次実行する。
【００２０】
静止画抽出部９４は、メモリバス９３を介して、サブ画像データ拡大縮小処理部９２により拡大縮小の処理が施された画像データを取得し、所定の時間ごとの１フレーム、すなわち、静止画像を抽出して、画面合成部９６に供給したり、メモリバス９３を介してメモリコントローラ９５に供給し、メモリ６６に保存させる。
【００２１】
メモリコントローラ９５は、供給された画像データを、メモリ６６の所定の領域に記憶したり、メモリ６６に記憶されている画像データを読み出して、画面合成部９６に出力する処理を実行する。
【００２２】
図６に、メモリ６６のメモリマップを示す。
【００２３】
メモリ６６には、メインの映像信号用格納領域１０１、サブの映像信号用格納領域１０２、および、複数のインデックス画面用静止画格納領域１０３が用意されている。また、インデックス表示モードにおいて、インデックス画面用静止画格納領域１０３から画像データの読み出しが行われているエリアを、読み出しエリア１０４とする。
【００２４】
例えば、図６Ａに示されるように、インデックス画面用静止画格納領域１０３のうち、インデックス画面用静止画格納領域１０３−１乃至インデックス画面用静止画格納領域１０３−４が読み出されているとき、図２を用いて説明したように、スクロールインデックス表示エリア２２に、チャンネル４、チャンネル６、チャンネル８、および、チャンネル１０に対応する静止画像が表示されているとする。この状態において、ユーザが、リモートコマンダ２を用いて、スクロールインデックス表示エリア２２の下部に表示されている画面を見るためのスクロール操作を実行した場合、読み出されるデータの位置が、１ライン、または、数ラインずつ移動されて、図６Ｂに示されるように、読み出しエリア１０４の位置がずれ、インデックス画面用静止画格納領域１０３−１の途中から、インデックス画面用静止画格納領域１０３−５の途中までが読み出される。したがって、図２においてスクロールインデックス表示エリア２２の最上部に表示されていたチャンネル４に対応する静止画像のうちの一部が、スクロールインデックス表示エリア２２から外れ、図３に示されるように、スクロールインデックス表示エリア２２の下部に、チャンネル１２に対応する静止画像のうちの一部が表示される。
【００２５】
このとき、読み出されるインデックス画面用静止画格納領域１０３のそれぞれの静止画像には、ＯＳＤマイコン６４および高速スイッチＩＣ６５の処理により、すでに、チャンネル番号に対応する情報が含まれているので、スクロールされて表示されるそれぞれの静止画像とともに、チャンネル番号も滑らかに移動されて表示される。
【００２６】
図５の画像処理部４５の説明に戻る。
【００２７】
画面合成部９６は、メモリバス９３を介してメモリコントローラ９５から供給された画像データ、または、メイン画像データ拡大縮小処理部９１、サブ画像データ拡大縮小処理部９２、もしくは、静止画抽出部９４から供給された画像データを、制御部６３の制御により、ユーザが指令した表示モードに基づいて合成し、画質調整部６７に供給する。
【００２８】
画質調整部６７は、供給された合成画像の画質を調整し、ＯＳＤ合成部６８に供給する。ＯＳＤ６９は、制御部６３の制御に基づいて、表示画像に重畳させる情報を、ＯＳＤ合成部６８に出力する。ＯＳＤ合成部６８は、ＯＳＤ６９が出力した重畳情報を、供給された画像データと合成して出力する。
【００２９】
図４のテレビジョン受像機１の説明に戻る。
【００３０】
画像処理部４５において処理された画像データは、表示部１２に、例えば、ＬＣＤ（Ｌｉｑｕｉｄ  Ｃｒｙｓｔａｌ  Ｄｉｓｐｌａｙ）やＰＤＰ（ｐｌａｓｍａ  ｄｉｓｐｌａｙ  ｐａｎｅｌ）などが用いられて、デジタルデータを表示することが可能なようになされている場合、直接表示部１２に出力され、表示部１２に、例えば、ＣＲＴ（Ｃａｔｈｏｄｅ  Ｒａｙ  Ｔｕｂｅ）などが用いられて、アナログデータを表示することが可能なようになされている場合、ＤＡコンバータ４６に出力されて、アナログ信号に変換された後、表示部１２に出力されるようになされている。表示部１２は、供給された画像データに対応する画像を表示する。
【００３１】
【発明が解決しようとする課題】
上述したように、スクロールインデックス表示エリア２２の動きに連動して、チャンネル番号を示す文字の表示位置を滑らかに移動させるためには、ＯＳＤマイコン６４および高速スイッチＩＣ６５が必要となり、コストアップの要因となっていた。
【００３２】
更に、図４を用いて説明したテレビジョン受像機１は、アナログの放送波のみを受信するものであったが、今後、地上波および衛星波のデジタル放送が一般化されるに伴い、テレビジョン受像機には、アナログ放送のみならず、デジタル放送を受信する機能が必要となってくる。デジタル放送を受信して表示することが可能なテレビジョン受像機において、上述した方法で、クロールインデックス表示エリア２２の動きに連動して、チャンネル番号を示す文字の表示位置を滑らかに移動させるようにするためには、デジタルの画像データを、一度アナログコンポーネント信号に変換した後、ＯＳＤマイコン６４および高速スイッチＩＣ６５を用いてチャンネル番号に対応する情報をアナログコンポーネント信号に加えた後、再び、デジタル信号に変換して、画像処理を行う必要がある。この場合、画像信号の変換回数が多くなってしまうため、画像の劣化という問題が発生してしまう。
【００３３】
本発明はこのような状況に鑑みてなされたものであり、上述したＯＳＤマイコン６４および高速スイッチＩＣ６５が実行したような複雑な処理を行うことなく、また、変換処理を繰り返すことにより、画像を劣化させることなく、画像に対応した付加情報が、画像の移動に追従して滑らかに移動されて表示されるようにするものである。
【００３４】
【課題を解決するための手段】
本発明の第１の画像処理装置は、画像に関する情報を格納する第１の格納手段と、第１の格納手段への情報の書き込みおよび読み出しを制御する制御手段とを備え、第１の格納手段は、移動または拡大縮小されて表示される画像に対応する画像情報を格納する第１の画像格納領域を有し、制御手段は、移動または拡大縮小されて表示される画像上に付加されて表示される付加情報を、第１の画像格納領域に格納されている画像情報のうちの一部に上書きすることを特徴とする。
【００３５】
第１の格納手段は、付加情報を格納する付加情報格納領域を更に有するものとすることができ、制御手段には、付加情報格納領域に格納された付加情報を、第１の画像格納領域に格納されている画像情報のうちの一部に上書きさせるようにすることができる。
【００３６】
付加情報を格納する第２の格納手段を更に備えさせるようにすることができ、制御手段には、第２の格納手段により格納された付加情報を、第１の画像格納領域に格納されている画像情報のうちの一部に上書きさせるようにすることができる。
【００３７】
第１の画像格納領域には、複数の静止画像を格納させるようにすることができ、制御手段には、第１の画像格納領域に格納されている複数の静止画像のそれぞれの一部に、付加情報を上書きさせるようにすることができる。
【００３８】
第１の画像格納領域には、連続するフレーム画像データを順次格納させるようにすることができ、制御手段には、フレーム画像データのブランキング区間の情報の、第１の格納手段への情報の書き込み処理中に、それぞれのフレーム画像データのうちの一部に、付加情報を上書きさせるようにすることができる。
【００３９】
第１の格納手段には、第１の画像格納領域に格納されている画像情報とは異なる表示方法で表示される画像情報を格納する第２の画像格納領域を更に備えさせるようにすることができる。
【００４０】
本発明の第１の画像処理装置においては、画像に関する情報が格納され、情報の書き込みおよび読み出しが制御され、移動または拡大縮小されて表示される画像上に付加されて表示される付加情報が、移動または拡大縮小されて表示される画像に対応する画像情報のうちの一部に上書きされる。
【００４１】
本発明の第１の画像処理方法は、移動または拡大縮小されて表示される画像に対応する画像情報を情報格納領域に格納する格納ステップと、移動または拡大縮小されて表示される画像上に付加されて表示される付加情報を、格納ステップの処理により情報格納領域に格納された画像情報のうちの一部に上書きする上書きステップとを含むことを特徴とする。
【００４２】
本発明の第１のプログラムは、移動または拡大縮小されて表示される画像に対応する画像情報を情報格納領域に格納する格納ステップと、移動または拡大縮小されて表示される画像上に付加されて表示される付加情報を、格納ステップの処理により情報格納領域に格納された画像情報のうちの一部に上書きする上書きステップとを含むことを特徴とする。
【００４３】
本発明の第１の画像処理方法およびプログラムにおいては、移動または拡大縮小されて表示される画像に対応する画像情報が情報格納領域に格納され、移動または拡大縮小されて表示される画像上に付加されて表示される付加情報が、情報格納領域に格納された画像情報のうちの一部に上書きされる。
【００４４】
本発明の第２の画像処理装置は、画像に関する情報を格納する第１の格納手段と、第１の格納手段への情報の書き込みおよび読み出しを制御する制御手段とを備え、第１の格納手段は、連続したフレーム画像データを順次格納する第１の画像格納領域を有し、制御手段は、フレーム画像データに対応する画像上に付加されて表示される付加情報を、第１の画像像格納領域に格納されたそれぞれのフレーム画像データのうちの一部に上書きすることを特徴とする。
【００４５】
制御手段には、フレーム画像データのブランキング区間の情報の、第１の格納手段への情報の書き込み処理中に、それぞれのフレーム画像データのうちの一部に、付加情報を上書きさせるようにすることができる
【００４６】
第１の格納手段は、付加情報を格納する付加情報格納領域を更に有するものとすることができ、制御手段には、付加情報格納領域に格納された付加情報を、第１の画像格納領域に格納されたそれぞれのフレーム画像データのうちの一部に上書きさせるようにすることができる。
【００４７】
付加情報を格納する第２の格納手段を更に備えさせるようにすることができ、制御手段には、第２の格納手段により格納された付加情報を、第１の画像格納領域に格納されたそれぞれのフレーム画像データのうちの一部に上書きさせるようにすることができる。
【００４８】
第１の格納手段には、第１の画像格納領域に格納されているフレーム画像データとは異なる表示方法で表示される画像情報を格納する第２の画像格納領域を更に備えさせるようにすることができる。
【００４９】
本発明の第２の画像処理装置においては、画像に関する情報が格納され、情報の書き込みおよび読み出しが制御され、連続したフレーム画像データを順次格納する第１の画像格納領域が設けられ、フレーム画像データに対応する画像上に付加されて表示される付加情報が、第１の画像像格納領域に格納されたそれぞれのフレーム画像データのうちの一部に上書きされる。
【００５０】
本発明の第２の画像処理方法は、連続したフレーム画像データを情報格納領域に順次格納する格納ステップと、フレーム画像に対応する画像上に付加されて表示される付加情報を、格納ステップの処理により情報格納領域に格納されたそれぞれのフレーム画像データのうちの一部に上書きする上書きステップとを含むことを特徴とする。
【００５１】
本発明の第２のプログラムは、連続したフレーム画像データを情報格納領域に順次格納する格納ステップと、フレーム画像に対応する画像上に付加されて表示される付加情報を、格納ステップの処理により情報格納領域に格納されたそれぞれのフレーム画像データのうちの一部に上書きする上書きステップとを含むことを特徴とする。
【００５２】
本発明の第２の画像処理方法およびプログラムにおいては、連続したフレーム画像データが情報格納領域に順次格納され、フレーム画像に対応する画像上に付加されて表示される付加情報が、情報格納領域に格納されたそれぞれのフレーム画像データのうちの一部に上書きされる。
【００５３】
【発明の実施の形態】
以下に本発明の実施の形態を説明するが、特許請求の範囲に記載の発明の各手段および各ステップと以下の実施の形態との対応関係を明らかにするために、各手段および各ステップの後の括弧内に、対応する実施の形態（但し一例）を付加して本発明の特徴を記述すると、次のようになる。但しもちろんこの記載は、各手段および各ステップを記載したものに限定することを意味するものではない。
【００５４】
請求項１に記載の画像処理装置（例えば、図７のテレビジョン受像機１５１）は、画像に関する情報を格納する第１の格納手段（例えば、図８の表示画像メモリ１７４）と、第１の格納手段への情報の書き込みおよび読み出しを制御する制御手段（例えば、図８の制御部１７２）とを備え、第１の格納手段は、移動または拡大縮小されて表示される画像に対応する画像情報を格納する第１の画像格納領域（例えば、図９のインデックス画面用静止画格納領域１０３、または、図１３のインデックス画面用動画格納領域２１１）を有し、制御手段は、移動または拡大縮小されて表示される画像上に付加されて表示される付加情報（例えば、チャンネル番号、ロゴマーク、ＥＰＧなど）を、第１の画像格納領域に格納されている画像情報のうちの一部に上書きすることを特徴とする。
【００５５】
請求項２に記載の画像処理装置は、第１の格納手段が、付加情報を格納する付加情報格納領域（例えば、図９または図１３の付加情報格納領域２０１）を更に有し、制御手段は、付加情報格納領域に格納された付加情報を、第１の画像格納領域に格納されている画像情報のうちの一部に上書きすることを特徴とする。
【００５６】
請求項３に記載の画像処理装置は、付加情報を格納する第２の格納手段（例えば、図８の付加情報メモリ１７３）を更に備え、制御手段は、第２の格納手段により格納された付加情報を、第１の画像格納領域に格納されている画像情報のうちの一部に上書きすることを特徴とする。
【００５７】
請求項４に記載の画像処理装置は、第１の画像格納領域（例えば、図９のインデックス画面用静止画格納領域１０３）が、複数の静止画像を格納し、制御手段は、第１の画像格納領域に格納されている複数の静止画像のそれぞれの一部に、付加情報を上書きすることを特徴とする。
【００５８】
請求項５に記載の画像処理装置は、第１の画像格納領域（例えば、図１３のインデックス画面用動画格納領域２１１）に、連続するフレーム画像データが順次格納され、制御手段は、フレーム画像データのブランキング区間の情報の、第１の格納手段への情報の書き込み処理中に、それぞれのフレーム画像データのうちの一部に、付加情報を上書きすることを特徴とする。
【００５９】
請求項６に記載の画像処理装置は、第１の格納手段が、第１の画像格納領域に格納されている画像情報とは異なる表示方法で表示される画像情報を格納する第２の画像格納領域（例えば、図９のメインの映像信号用格納領域１０１）を更に備えることを特徴とする。
【００６０】
請求項７に記載の画像処理方法および請求項８に記載のプログラムは、移動または拡大縮小されて表示される画像に対応する画像情報を情報格納領域に格納する格納ステップ（例えば、図１０のステップＳ２の処理、または、図１４のステップＳ５２の処理）と、移動または拡大縮小されて表示される画像上に付加されて表示される付加情報を、格納ステップの処理により情報格納領域に格納された画像情報のうちの一部に上書きする上書きステップ（例えば、図１０のステップＳ５の処理または、図１４のステップＳ５５の処理）とを含むことを特徴とする。
【００６１】
請求項９に記載の画像処理装置（例えば、図７のテレビジョン受像機１５１）は、画像に関する情報を格納する第１の格納手段（例えば、図８の表示画像メモリ１７４）と、第１の格納手段への情報の書き込みおよび読み出しを制御する制御手段（例えば、図８の制御部１７２）とを備え、第１の格納手段は、連続したフレーム画像データを順次格納する第１の画像格納領域（例えば、図９もしくは図１３のメインの映像信号用格納領域１０１、図９もしくは図１３のサブの映像信号用格納領域１０２、または、図１３のインデックス画面用動画格納領域２１１）を有し、制御手段は、フレーム画像データに対応する画像上に付加されて表示される付加情報（例えば、チャンネル番号、ロゴマーク、ＥＰＧなど）を、第１の画像像格納領域に格納されたそれぞれのフレーム画像データのうちの一部に上書きすることを特徴とする。
【００６２】
請求項１１に記載の画像処理装置は、第１の格納手段が、付加情報を格納する付加情報格納領域（例えば、図９または図１３の付加情報格納領域２０１）を更に有し、制御手段は、付加情報格納領域に格納された付加情報を、第１の画像格納領域に格納されたそれぞれのフレーム画像データのうちの一部に上書きすることを特徴とする。
【００６３】
請求項１２に記載の画像処理装置は、付加情報を格納する第２の格納手段（例えば、図８の付加情報メモリ１７３）を更に備え、制御手段は、第２の格納手段により格納された付加情報を、第１の画像格納領域に格納されたそれぞれのフレーム画像データのうちの一部に上書きすることを特徴とする。
【００６４】
請求項１３に記載の画像処理装置は、第１の格納手段が、第１の画像格納領域に格納されているフレーム画像データとは異なる表示方法で表示される画像情報を格納する第２の画像格納領域（例えば、図９のインデックス画面用静止画格納領域１０３）を更に備えることを特徴とする。
【００６５】
請求項１４に記載の画像処理方法および請求項１５に記載のプログラムは、連続したフレーム画像データを情報格納領域に順次格納する格納ステップ（例えば、図１２のステップＳ２２の処理）と、フレーム画像に対応する画像上に付加されて表示される付加情報を、格納ステップの処理により情報格納領域に格納されたそれぞれのフレーム画像データのうちの一部に上書きする上書きステップ（例えば、図１２のステップＳ２５の処理）とを含むことを特徴とする。
【００６６】
以下、図を参照して、本発明の実施の形態について説明する。
【００６７】
図７は、本発明を適用したテレビジョン受像機１５１の構成を示すブロック図である。
【００６８】
なお、図４を用いて説明した従来における場合と対応する部分には同一の符号を付してあり、その説明は適宜省略する。
【００６９】
すなわち、本発明を適用した図７のテレビジョン受像機１５１は、システムコントローラ４１に代わって、システムコントローラ１６１が備えられ、画像処理部４５に代わって、画像処理部１６３が備えられ、新たに、デジタル放送波を受信するアンテナ４２−３およびアンテナ４２−４、システムコントローラ１６１の制御に基づいて、受信するデジタル放送波を選局するチューナ４３−３およびチューナ４３−４、並びに、受信されたデジタル放送波のビデオ信号をデコードするデコード部１６２−１およびデコード部１６２−２が新たに備えられている以外は、図４を用いて説明したテレビジョン受像機１と基本的に同様の構成を有するものである。
【００７０】
テレビジョン受像機１５１において、スクロールインデックス表示モード時に表示部１２に表示される表示画面は、図２および図３を用いて説明した従来における場合と同様であるので、その説明は省略する。
【００７１】
なお、図２および図３においては、メイン画像表示エリア２１の横に縦長のスクロールインデックス表示エリア２２を設け、スクロールインデックス表示エリア２２に表示されているスクロールインデックスを、縦方向にスクロールする場合について説明したが、例えば、メイン画像表示エリア２１の上部、または、下部に横長のスクロールインデックス表示エリア２２を設けて横方向に裏番組に対応する静止画像を複数並べて表示させ、スクロールインデックス表示エリア２２に表示されているスクロールインデックスを、横方向にスクロールすることができるようにしても良い。
【００７２】
システムコントローラ１６１は、赤外線受信部１１が受信した、ユーザがリモートコマンダ２を用いて実行した操作入力を示す信号を基に、例えば、チューナ４３−１乃至チューナ４３−４が受信する放送のチャンネルを制御したり、画像処理部１６３が実行する処理を制御する。
【００７３】
チューナ４３−３は、システムコントローラ１６１の制御に基づいて、アンテナ４２−３を介して、メイン画像表示エリア２１などのメイン画面に表示させるチャンネルとして指定されたチャンネルのデジタル放送波を受信し、デコード部１６２−１に供給する。チューナ４３−４は、システムコントローラ１６１の制御に基づいて、アンテナ４２−４を介して、スクロールインデックス表示エリア２２などのサブ画面に表示させるチャンネルとして指定されたチャンネルのデジタル放送波を受信し、デコード部１６２−２に供給する。チューナ４３−４は、例えば、２画面表示など、サブ画面が１つだけの表示モードにおいては、サブ画面として指定されたチャンネルのデジタル放送波のみを受信するが、スクロールインデックス表示モードが指令された場合、スクロールインデックス表示エリア２２に表示される可能性のある全てのチャンネルのデジタル放送波を、順次受信する。
【００７４】
デコード部１６２−１およびデコード部１６２−２は、デジタル放送信号の入力を受け、所定の方式にデコードしたり、必要に応じて、デスクランブルする処理を実行する。
【００７５】
画像処理部１６３は、システムコントローラ１６１の制御に基づいて、供給された画像データを表示部１２に表示される画像に対応する画像データに変換または合成する処理を実行する。図８は、図７の画像処理部１６３の詳細な構成を示すブロック図である。
【００７６】
なお、図５を用いて説明した従来における場合と対応する部分には同一の符号を付してあり、その説明は適宜省略する。
【００７７】
すなわち、画像処理部１６３は、画面分割処理部６２に代わって、画面分割処理部１７１が設けられ、制御部６３に代わって、制御部１７２が設けられ、メモリ６６に代わって、表示画像メモリ１７４が設けられ、新たに、付加情報メモリ１７３と、必要に応じて、ドライブ１７５が設けられ、ＯＳＤマイコン６４および高速スイッチＩＣ６５が省略されている以外は、基本的に、図５の画像処理部４５と同様の構成を有するものである。
【００７８】
また、画面分割処理部１７１は、メモリコントローラ９５に代わって、メモリコントローラ１９２が設けられ、新たに、付加情報メモリ１７３に対して情報を記憶させたり、情報を読み出す処理を実行するメモリコントローラ１９１が設けられている以外は、基本的に、図５の画面分割処理部６２と同様の構成を有するものである。
【００７９】
ＡＤコンバータ６１−１は、Ｙ／Ｃ分離およびクロマデコード部４４−１から、アナログのコンポーネント信号の供給を受け、デジタル信号に変換し、画面分割処理部１７１のメイン画像データ拡大縮小処理部９１に供給する。更に、メイン画像データ拡大縮小処理部９１は、デコード部１６２−１においてデコードされた画像データの供給を受ける。ＡＤコンバータ６１−２は、Ｙ／Ｃ分離およびクロマデコード部４４−２から、アナログのコンポーネント信号の供給を受け、デジタル信号に変換し、画面分割処理部１７１のサブ画像データ拡大縮小処理部９２に供給する。また、サブ画像データ拡大縮小処理部９２は、デコード部１６２−２においてデコードされた画像データの供給を受ける。
【００８０】
制御部１７２は、コントローラ１６１から供給される制御信号に基づいて、画面分割処理部１７１および、ＯＳＤ６９の動作を制御する。制御部１７２は、例えば、画面分割処理部１７１のメモリコントローラ１９２を制御して、表示画像メモリ１７４の所定の領域（図９を用いて後述する付加情報格納領域２０１）に記憶されている情報を、表示画像メモリ１７４の他の領域（図９を用いて後述するインデックス画面用静止画格納領域１０３）に記憶されている情報に書き込む処理を実行させることができる。
【００８１】
また、制御部１７２には、必要に応じて、ドライブ１７５が接続されており、ドライブ１７５に装着された光ディスク１８１、磁気ディスク１８２、光磁気ディスク１８３、または、半導体メモリ１８４などと情報が授受されるようになされている。
【００８２】
画面分割処理部１７１のメイン画像データ拡大縮小処理部９１は、制御部１７２の制御に基づいて、供給されたデジタル信号による表示画像の大きさを、ユーザにより指示された表示モードにおけるメイン画面の大きさに合わせて変更する処理を実行し、画面合成部９６に出力するか、メモリバス９３を介して、メモリコントローラ１９２に供給し、表示画像メモリ１７４に保存させる。
【００８３】
画面分割処理部１７１のサブ画像データ拡大縮小処理部９２は、制御部１７２の制御に基づいて、供給されたデジタル信号による表示画像の大きさを、ユーザにより指示された表示モードにおけるサブ画面の大きさに合わせて変更する処理を実行し、画面合成部９６に出力するか、メモリバス９３を介して静止画抽出部９４に供給するか、または、メモリバス９３を介してメモリコントローラ１９２に供給し、表示画像メモリ１７４に保存させる。なお、サブ画像データ拡大縮小処理部９２は、スクロールインデックス表示モードが指令された場合、スクロールインデックス表示エリア２２に表示される可能性のある全てのチャンネルの画像データの供給を受けるので、供給された画像データに対して、表示画面の大きさをサブ画面の大きさに合わせて順次変更し、出力する処理を実行する。
【００８４】
静止画抽出部９４は、メモリバス９３を介して、サブ画像データ拡大縮小処理部９２により拡大縮小の処理が施された画像データを取得し、所定の時間ごとの１フレーム、すなわち、静止画像を抽出して、画面合成部９６に供給したり、メモリバス９３を介してメモリコントローラ１９２に供給し、表示画像メモリ１７４に保存させる。
【００８５】
メモリコントローラ１９２は、供給された画像データを表示画像メモリ１７４の所定の領域に記憶させたり、メモリバス９３を介してメモリコントローラ１９１に処理により付加情報メモリ１７３から読み出された付加情報の供給を受け、表示画像メモリ１７４の所定の領域に記憶させたり、表示画像メモリ１７４に記憶されている画像データを読み出して、画面合成部９６に出力する処理を実行する。
【００８６】
付加情報メモリ１７３には、例えば、チャンネル番号、放送局を表すロゴマーク、番組の内容を示すＥＰＧ（Ｅｌｅｃｔｒｉｃ  Ｐｒｏｇｒａｍ  Ｇｕｉｄｅ）などの、表示される画面に付加させて表示させるための情報が保存される。
【００８７】
メモリコントローラ１９１は、制御部１７２の制御に基づいて、付加情報メモリ１７３に対して情報を記憶させたり、付加情報メモリ１７３に記憶されている情報を読み出して、メモリバス９３を介して、メモリコントローラ１９２に供給する処理を実行する。
【００８８】
図９に、表示画像メモリ１７４のメモリマップを示す。
【００８９】
表示画像メモリ１７４には、メインの映像信号用格納領域１０１、サブの映像信号用格納領域１０２、および、複数のインデックス画面用静止画格納領域１０３に加えて、付加情報メモリ１７３から読み出された付加情報を記憶する付加情報格納領域２０１が用意されている。メインの映像信号用格納領域１０１には、例えば、メイン画像表示エリア２１などのメイン画面に表示される画像データが格納される。サブの映像信号用格納領域１０２には、例えば、２画面表示モードなどにおける単独のサブ画面に表示される画像データが格納される。インデックス画面用静止画格納領域１０３には、スクロールインデックス表示エリア２２などの複数の画像で構成されるサブ画面に表示される画像データが格納される。インデックス画面用静止画格納領域１０３において、画像データの読み出しが行われているエリアを、読み出しエリア１０４とする。
【００９０】
制御部１７２は、メモリコントローラ１９２を制御して、付加情報格納領域２０１に、例えば、チャンネル番号、放送局を表すロゴマーク、番組の内容を示すＥＰＧなどの、付加情報メモリ１７３から読み出された付加情報を格納させるとともに、付加情報格納領域に格納されている情報のうち、インデックス画面用静止画格納領域１０３に格納されている画像データのそれぞれに対応する付加情報を、インデックス画面用静止画格納領域１０３内のサブ画面上に表示させる位置に対応した所定の位置に直接上書きする。したがって、上書き処理の終了後、インデックス画面用静止画格納領域１０３には、例えば、チャンネル番号などの付加情報がすでに上書きされたインデックス画面用の静止画像が格納されている。
【００９１】
例えば、図９Ａに示されるように、読み出しエリア１０４に含まれているインデックス画面用静止画格納領域１０３のうち、読み出しエリア１０４に含まれているインデックス画面用静止画格納領域１０３−１乃至インデックス画面用静止画格納領域１０３−４が読み出されている場合、スクロールインデックス表示エリア２２には、チャンネル１、チャンネル３、チャンネル４、および、チャンネル６に対応する静止画像が表示されているものとする。
【００９２】
この状態において、ユーザが、リモートコマンダ２を用いて、スクロールインデックス表示エリア２２の下部に表示されている画面を見るためのスクロール操作を実行した場合、読み出しエリア１０４に含まれている読み出されるデータの位置が、１ライン、または、数ラインずつ移動されて、図９Ｂに示されるように、読み出しエリア１０４の位置がずれ、インデックス画面用静止画格納領域１０３−１の途中から、インデックス画面用静止画格納領域１０３−５の途中までが読み出される。したがって、スクロールインデックス表示エリア２２の最上部に表示されていたチャンネル１に対応する静止画像のうちの一部が、スクロールインデックス表示エリア２２から外れ、スクロールインデックス表示エリア２２の下部に、チャンネル８に対応する静止画像のうちの一部が表示される。
【００９３】
このとき、読み出されるインデックス画面用静止画格納領域１０３のそれぞれの静止画像には、付加情報格納領域２０１に格納されていた付加情報が上書きされているので、スクロールされて表示されるそれぞれの静止画像とともに、チャンネル番号などの付加情報も滑らかに移動されて表示される。
【００９４】
このようにすることにより、複雑な処理を行うことなく、また、画像を劣化させることなく、表示画像メモリ１７４に、インデックス画面用の静止画像に対応した付加情報を、インデックス画面の移動に追従して滑らかに移動させることができる画像データを記憶させるようにすることができる。
【００９５】
再び、図８の説明に戻る。画面合成部９６は、メモリバス９３を介してメモリコントローラ１９２から供給された画像データ、または、メイン画像データ拡大縮小処理部９１、サブ画像データ拡大縮小処理部９２、もしくは、静止画抽出部９４から供給された画像データを、ユーザが指令した表示モードに基づいて合成し、画質調整部６７に供給する。
【００９６】
画質調整部６７は、供給された合成画像の画質を調整し、ＯＳＤ合成部６８に供給する。ＯＳＤ６９は、制御部１７２の制御に基づいて、表示画像に重畳させる情報を、ＯＳＤ合成部６８に出力する。ＯＳＤ合成部６８は、ＯＳＤ６９が出力した重畳情報を、供給された画像データと合成して出力する。
【００９７】
ＯＳＤ合成部６８から出力された画像データは、従来における場合と同様にして、図７の表示部１２が、例えば、ＬＣＤ（Ｌｉｑｕｉｄ  Ｃｒｙｓｔａｌ  Ｄｉｓｐｌａｙ）やＰＤＰ（Ｐｌａｓｍａ  Ｄｉｓｐｌａｙ  Ｐａｎｅｌ）などのデジタルデータを表示することが可能なようになされている場合、直接表示部１２に出力され、表示部１２が、例えば、ＣＲＴ（Ｃａｔｈｏｄｅ  Ｒａｙ  Ｔｕｂｅ）などの、アナログデータを表示することが可能なようになされている場合、ＤＡコンバータ４６に出力されて、アナログ信号に変換された後、表示部１２に出力される、表示部１２は、供給された画像データに対応する画像を表示する。
【００９８】
なお、図８において、画質調整部６７、ＯＳＤ６９、または、ＯＳＤ合成部６８のうちの一部または全部を、画面分割処理部１７２の内部に構成するようにしても良いことは言うまでもない。例えば、画質調整部６７、ＯＳＤ６９、または、ＯＳＤ合成部６８を、画面分割処理部１７２の内部に構成するようにした場合、画面分割からＯＳＤの重畳までの処理を、１チップのＩＣ、またはＬＳＩで実現させることが可能となる。
【００９９】
次に、図１０および図１１のフローチャートを参照して、本発明を適用したテレビジョン受像機１５１が実行するスクロールインデックス表示処理１について説明する。
【０１００】
ステップＳ１において、システムコントローラ１６１は、赤外線受信部１１を介して、リモートコマンダ２から、スクロールインデックス表示の指令を受ける。
【０１０１】
ステップＳ２において、画像処理部１６３の制御部１７２は、システムコントローラ１６１の制御に基づいて、表示画像メモリ１７４のインデックス画面用静止画格納領域１０３に、画面分割処理部１７１の処理により抽出された、インデックス画面用の静止画を書き込む処理を開始する。この処理は、後述するステップＳ１０の処理において、スクロールインデックス表示の終了の操作を受けたと判断されるまで続けられる。
【０１０２】
ステップＳ３において、制御部１７２は、メモリコントローラ１９１を制御して、付加情報メモリ１７３から、例えば、チャンネル番号、放送局を表すロゴマーク、番組の内容を示すＥＰＧなどの、スクロールインデックス表示エリア２２に静止画像とともに表示させる付加情報を読み込む。
【０１０３】
ステップＳ４において、制御部１７２は、メモリコントローラ１９２を制御して、ステップＳ３で読み込まれた付加情報を、表示画像メモリ１７４の付加情報格納領域２０１に書き込む。
【０１０４】
ステップＳ５において、制御部１７２は、メモリコントローラ１９２を制御して、表示画像メモリ１７４の付加情報格納領域２０１に記憶されている付加情報のうち、スクロールインデックス表示エリア２２に表示させる静止画像に対応する情報を、表示画像メモリ１７４に記憶されているインデックス画面用静止画格納領域１０３の所定の部分に書き込む（上書きをする）。この処理は、後述するステップＳ１０の処理において、スクロールインデックス表示の終了の操作を受けたと判断されるまで続けられる。すなわち、インデックス画面用静止画格納領域１０３には、ステップＳ２の処理により、一定の時間ごとに新たな静止画像が書き込まれるので、付加情報も、そのつど、新たな静止画像に上書きされる。
【０１０５】
ステップＳ６において、制御部１７２は、メモリコントローラ１９２を制御して、表示画像メモリ１７４に記憶されている、付加情報が書き込まれたインデックス画面用静止画格納領域１０３のうち、スクロールインデックス表示エリア２２に表示させる情報を読み込む。
【０１０６】
ステップＳ７において、制御部１７２は、ステップＳ６で読み出された、付加情報が書き込まれたインデックス画面用静止画格納領域１０３の情報を、メモリバス９３を介して画面合成部９６に供給する。画面合成部９６は、供給されたインデックス画面用静止画格納領域１０３の情報を、メイン画像データ拡大縮小処理部９１または、表示画像メモリ１７４から供給されたメイン画像表示エリアに表示させる画像データと合成して、画質調整部６７に出力する。
【０１０７】
ステップＳ８において、画質調整部６７は、供給された合成画像に画質調整を施し、ＯＳＤ合成部６８に出力する。ＯＳＤ合成部６８は、必要に応じて、供給された画像に、ＯＳＤ６９から供給された情報を重畳する。
【０１０８】
ステップＳ９において、表示部１２は、画像処理部１６３から出力されたデジタル画像データ、または、画像処理部１６３から出力され、ＤＡコンバータ４６によりアナログデータに変換されたアナログ画像データの供給を受け、メイン画面とスクロールインデックスからなる表示画面を表示する。
【０１０９】
ステップＳ１０において、システムコントローラ１６１は、赤外線受信部１１を介して、リモートコマンダ２から供給される信号を基に、ユーザから、スクロールインデックス表示の終了の操作を受けたか否かを判断する。
【０１１０】
ステップＳ１０において、スクロールインデックス表示の終了の操作を受けていないと判断された場合、ステップＳ１１において、システムコントローラ１６１は、赤外線受信部１１を介して、リモートコマンダ２から供給される信号を基に、ユーザから、スクロールインデックスのスクロールの操作を受けたか否かを判断する。ステップＳ１１において、スクロールインデックスのスクロールの操作を受けていないと判断された場合、処理は、ステップＳ１０に戻り、それ以降の処理が繰り返される。
【０１１１】
ステップＳ１１において、スクロールインデックスのスクロールの操作を受けたと判断された場合、ステップＳ１２において、制御部１７２は、システムコントローラ１６１の制御に基づいて、表示画像メモリ１７４のインデックス画面用静止画格納領域１０３から読み出すデータを、ユーザの操作入力に応じて、１ライン、もしくは数ラインずらして読み込む。ステップＳ１２の処理の終了後、処理は、ステップＳ７に戻り、それ以降の処理が繰り返される。
【０１１２】
ステップＳ１０において、スクロールインデックス表示の終了の操作を受けたと判断された場合、処理が終了される。
【０１１３】
このような処理により、従来のように、画像処理前のアナログ画像信号に対して、専用のマイクロコンピュータや高速スイッチＩＣなどを用いて、文字情報などを重畳させる処理を行うことなく、簡単な処理で、デジタル画像信号に対して、例えば、チャンネル番号、放送局を表すロゴマーク、番組の内容を示すＥＰＧなどの、スクロールインデックス表示エリア２２に静止画像とともに表示させる付加情報を書き込むことができる。
【０１１４】
したがって、本発明を適用することにより、アナログ信号のみならずデジタル信号の放送波を受信することができる場合においても、デジタル信号からアナログ信号、または、アナログ信号からデジタル信号への変換による画像の劣化を引き起こすことなく、移動する画像に付加される情報を、画像の移動に追従させて、滑らかに移動させて表示させることができる。また、本発明の構成を用いることにより、従来の装置に用いられていた専用のマイクロコンピュータや高速スイッチＩＣなどを省略することが可能となるので、装置の小型化およびコストダウンが可能となる。
【０１１５】
以上においては、スクロールインデックス表示モードにおいて、主画面に対するスクロールインデックスの表示に付随する付加情報を滑らかに移動させて表示させる場合について説明したが、本発明は、表示位置が移動する画像情報に付随して付加情報を滑らかに移動させて表示させるさまざまな場合において適用可能である。更に、本発明は、例えば、２画面モードなどにおいて、一方、または両方の画面の大きさを自在に変化させることができる場合に、画面の大きさに対応して、付加情報の大きさを変更することができるようにする場合にも、適用可能である。
【０１１６】
例えば、図９に示される表示画像メモリ１７４のメインの映像信号用格納領域１０１またはサブの映像信号用格納領域１０２に格納されている画像データの一方、または両方に、付加情報格納領域２０１に格納されている、例えば、チャンネル番号、放送局を表すロゴマーク、番組の内容を示すＥＰＧなどの情報を書き込み、情報が書き込まれた画像データを拡大または縮小して表示させるようにすることにより、メインの映像信号用格納領域１０１およびサブの映像信号用格納領域１０２に格納されている画像データによる２画面モードにおいて、一方、または両方の画面の大きさを自在に変化させることができる場合に、画面の大きさに対応して、付加情報の大きさを滑らかに変更させることができる。
【０１１７】
また、メインの映像信号用格納領域１０１またはサブの映像信号用格納領域１０２に格納されている画像データにより表示される動画像に付加情報を表示させる場合においても、本発明は適用可能である。付加情報格納領域２０１に保存された付加情報を、メインの映像信号用格納領域１０１またはサブの映像信号用格納領域１０２に保存される動画像表示のためのフレーム画像データに、それぞれ、上書きすることにより、動画像にも付加情報を付加させて表示させることができる。このようにした場合、大きさや表示位置が固定である動画像はもちろん、その動画像が移動されたり、大きさが変更されて表示されるときでも、画面の位置や大きさに合わせて、動画像に付加情報を加えて表示させるようにすることが可能となる。
【０１１８】
すなわち、制御部１７２は、メモリコントローラ１９２を制御して、付加情報格納領域２０１に、例えば、チャンネル番号、放送局を表すロゴマーク、番組の内容を示すＥＰＧなどの、付加情報メモリ１７３から読み出された付加情報を格納させるとともに、メインの映像信号用格納領域１０１またはサブの映像信号用格納領域１０２に、表示させる動画像データに対応するフレーム画像データを順次（１フレーム、または、数フレーム）格納させ、書き込んだフレーム画像データを、１フレームずつ、順次読み出させる処理を実行させる。
【０１１９】
フレーム画像データには、実際には表示されない部分であるブランキング区間の情報が含まれているので、制御部１７２は、ブランキング区間の格納処理中に、付加情報格納領域２０１に格納されている情報のうち、メインの映像信号用格納領域１０１またはサブの映像信号用格納領域１０２に格納されているフレーム画像データのそれぞれに対応する付加情報を、表示画面上に表示させる位置に対応した所定の位置に直接上書きさせる。
【０１２０】
それぞれのフレームの上書き処理の終了後、メインの映像信号用格納領域１０１またはサブの映像信号用格納領域１０２には、例えば、チャンネル番号などの付加情報がすでに上書きされた動画像を構成するフレーム画像データが格納されている。したがって、表示される動画像には、付加情報が含まれる。
【０１２１】
次に、図１２のフローチャートを参照して、動画像に対する付加情報表示処理について説明する。ここでは、メインの映像信号用格納領域１０１に書き込まれるフレーム画像データに対して付加情報を上書きすることにより、メイン画像表示エリア２１に表示される動画像に付加情報を表示させる場合について説明する。なお、サブの映像信号用格納領域１０２に書き込まれるフレーム画像データに対して付加情報を上書きすることにより、例えば、２画面表示におけるサブ画像に付加情報を表示させる場合も、基本的に同様の処理が実行されるので、その説明は省略する。
【０１２２】
ステップＳ２１において、システムコントローラ１６１は、赤外線受信部１１を介して、リモートコマンダ２から、例えば、メイン画像表示エリア２１に表示される動画像に対する付加情報の表示の指令を受ける。
【０１２３】
ステップＳ２２において、画像処理部１６３の制御部１７２は、システムコントローラ１６１の制御に基づいて、表示画像メモリ１７４のメインの映像信号用格納領域１０１に、画面分割処理部１７１の処理により生成された、動画像を構成するフレーム画像データを書き込む処理を開始する。
【０１２４】
ステップＳ２３において、制御部１７２は、メモリコントローラ１９１を制御して、付加情報メモリ１７３から、例えば、チャンネル番号、放送局を表すロゴマーク、番組の内容を示すＥＰＧなどの、メイン画像表示エリア２１に表示される動画像に付加させて表示させる付加情報を読み込む。
【０１２５】
ステップＳ２４において、制御部１７２は、メモリコントローラ１９２を制御して、ステップＳ２３で読み込まれた付加情報を、表示画像メモリ１７４の付加情報格納領域２０１に書き込む。
【０１２６】
ステップＳ２５において、制御部１７２は、メモリコントローラ１９２を制御して、メインの映像信号用格納領域１０１に格納されるフレーム画像データの垂直ブランキング区間のデータの処理中に、表示画像メモリ１７４の付加情報格納領域２０１の付加情報のうち対応する情報を、メインの映像信号用格納領域１０１のフレーム画像データの所定の部分に書き込む（上書きをする）。この処理は、後述するステップＳ３０の処理において、動画像に対する付加情報の表示の終了の操作を受けたと判断されるまで、それぞれのフレームに対して続けられる。すなわち、メインの映像信号用格納領域１０１には、順次、連続したフレーム画像データが書き込まれるので、付加情報も、その都度、全てのフレーム画像データに上書きされる。
【０１２７】
ステップＳ２６において、制御部１７２は、メモリコントローラ１９２を制御して、表示画像メモリ１７４に記憶されている、付加情報が書き込まれたメインの映像信号用格納領域１０１の情報を読み込む。
【０１２８】
ステップＳ２７において、制御部１７２は、ステップＳ２６で読み出された、付加情報が書き込まれた映像信号用格納領域１０１の情報を、メモリバス９３を介して画面合成部９６に供給する。画面合成部９６は、供給されたメインの映像信号用格納領域１０１の情報を、必要に応じて、他の画像データと合成して、画質調整部６７に出力する。
【０１２９】
ステップＳ２８において、画質調整部６７は、供給された合成画像に画質調整を施し、ＯＳＤ合成部６８に出力する。ＯＳＤ合成部６８は、必要に応じて、供給された画像に、ＯＳＤ６９から供給された情報を重畳する。
【０１３０】
ステップＳ２９において、表示部１２は、画像処理部１６３から出力されたデジタル画像データ、または、画像処理部１６３から出力され、ＤＡコンバータ４６によりアナログデータに変換されたアナログ画像データの供給を受け、メイン画像表示エリア２１に付加情報が付加されている表示画面を表示する。
【０１３１】
ステップＳ３０において、システムコントローラ１６１は、赤外線受信部１１を介して、リモートコマンダ２から供給される信号を基に、ユーザから、動画像に対する付加情報の表示の終了の操作を受けたか否かを判断する。
【０１３２】
ステップＳ３０において、ユーザから、動画像に対する付加情報の表示の終了の操作を受けていないと判断された場合、処理は、ステップＳ２５に戻り、それ以降の処理が繰り返される。すなわち、動画像の表示のために、順次格納されるフレーム画像データに、対応する付加情報が上書きされ、付加情報が上書きされたフレーム画像データが、読み込まれて、表示される。
【０１３３】
なお、表示される番組のチャンネルが変更された場合、ステップＳ２５の処理により、表示される番組に対応したチャンネル番号、放送局を表すロゴマーク、番組の内容を示すＥＰＧなどの情報が付加情報格納領域２０１から読み出されて、メインの映像信号用格納領域１０１のそれぞれのフレーム画像データの所定の部分に上書きされる。
【０１３４】
このような処理により、付加情報格納領域２０１に保存された付加情報が、メインの映像信号用格納領域１０１またはサブの映像信号用格納領域１０２に保存される動画像表示のためのフレーム画像データに、それぞれ、上書きされるので、動画像にも付加情報を付加させて表示させることができる。このようにした場合、大きさや表示位置が固定である動画像はもちろん、その動画像が移動されたり、大きさが変更されて表示されるときでも、画面の位置や大きさに合わせて、動画像に付加情報を加えて表示させるようにすることが可能となる。
【０１３５】
また、図７のチューナ４３−２およびチューナ４３−４が、複数の放送信号を受信可能であったり、または、サブ画像の受信用に複数のチューナが設けられている場合、表示画像メモリ１７４に、図９のインデックス画面用静止画格納領域１０３に代わって、図１３に示されるように、インデックス画面用動画格納領域２１１を設け、それぞれの領域に、連続するフレーム画像データを順次格納し、ユーザの指示に基づいた読み出しエリア１０４のフレーム画像データを読み出すようにすることにより、スクロールインデックス表示エリア２２に動画像を表示することができるようにしてもよい。
【０１３６】
そして、インデックス画面用動画格納領域２１１に格納されるそれぞれのフレーム画像データに、対応する付加情報を、１フレームごとに上書きするようしてもよい。フレーム画像データには、実際には表示されない部分であるブランキング区間の情報が含まれているので、制御部１７２は、ブランキング区間の格納処理中に、付加情報格納領域２０１に格納されている情報のうち、インデックス画面用動画格納領域２１１に格納されているフレーム画像データのそれぞれに対応する付加情報を、表示画面上に表示させる位置に対応した所定の位置に直接上書きさせる。
【０１３７】
そして、例えば、チャンネル番号などの付加情報がすでに上書きされた動画像を構成するフレーム画像データのうち、読み出しエリア１０４に含まれる画像データを順次読み出すようにすることにより、スクロールインデックス表示エリア２２に表示される動画像に、付加情報を表示させることができるので、スクロールインデックス表示エリア２２の表示に対して、スクロールが指示され、動画像の表示位置が変更される場合においても、動画像とともに、付加情報を滑らかに移動させて表示させることが可能となる。
【０１３８】
次に、図１４および図１５のフローチャートを参照して、スクロールインデックス表示エリア２２に動画像を表示させる場合の、スクロールインデックス表示処理２について説明する。
【０１３９】
ステップＳ５１において、システムコントローラ１６１は、赤外線受信部１１を介して、リモートコマンダ２から、スクロールインデックス表示の指令を受ける。
【０１４０】
ステップＳ５２において、画像処理部１６３の制御部１７２は、システムコントローラ１６１の制御に基づいて、表示画像メモリ１７４のインデックス画面用動画格納領域２１１に、画面分割処理部１７１の処理により抽出された、インデックス画面用の動画像を構成するフレーム画像データを書き込む処理を開始する。この処理は、後述するステップＳ６０の処理において、スクロールインデックス表示の終了の操作を受けたと判断されるまで続けられる。
【０１４１】
ステップＳ５３において、制御部１７２は、メモリコントローラ１９１を制御して、付加情報メモリ１７３から、例えば、チャンネル番号、放送局を表すロゴマーク、番組の内容を示すＥＰＧなどの、スクロールインデックス表示エリア２２に動画像とともに表示させる付加情報を読み込む。
【０１４２】
ステップＳ５４において、制御部１７２は、メモリコントローラ１９２を制御して、ステップＳ５３で読み込まれた付加情報を、表示画像メモリ１７４の付加情報格納領域２０１に書き込む。
【０１４３】
ステップＳ５５において、制御部１７２は、メモリコントローラ１９２を制御して、表示画像メモリ１７４の付加情報格納領域２０１に記憶されている付加情報のうち、スクロールインデックス表示エリア２２に表示させる動画像に対応する情報を、表示画像メモリ１７４に記憶されているインデックス画面用動画格納領域２１１に記録されるフレーム画像データのブランキング区間の格納処理中に、それぞれのフレーム画像データの所定の部分に書き込む（上書きをする）。この処理は、後述するステップＳ６０の処理において、スクロールインデックス表示の終了の操作を受けたと判断されるまで続けられる。すなわち、インデックス画面用動画格納領域２１１には、ステップＳ５２の処理により、一定の時間ごとに新たなフレーム画像データが書き込まれるので、付加情報も、そのつど、新たなフレーム画像データに上書きされる。
【０１４４】
ステップＳ５６において、制御部１７２は、メモリコントローラ１９２を制御して、表示画像メモリ１７４に記憶されている、付加情報が書き込まれたインデックス画面用動画格納領域２１１のうち、スクロールインデックス表示エリア２２に表示させる情報を読み込む。
【０１４５】
ステップＳ５７において、制御部１７２は、ステップＳ５６で読み出された、付加情報が書き込まれたインデックス画面用動画格納領域２１１の情報を、メモリバス９３を介して画面合成部９６に供給する。画面合成部９６は、供給されたインデックス画面用動画格納領域２１１の情報を、メイン画像データ拡大縮小処理部９１または、表示画像メモリ１７４から供給されたメイン画像表示エリアに表示させる画像データと合成して、画質調整部６７に出力する。
【０１４６】
ステップＳ５８において、画質調整部６７は、供給された合成画像に画質調整を施し、ＯＳＤ合成部６８に出力する。ＯＳＤ合成部６８は、必要に応じて、供給された画像に、ＯＳＤ６９から供給された情報を重畳する。
【０１４７】
ステップＳ５９において、表示部１２は、画像処理部１６３から出力されたデジタル画像データ、または、画像処理部１６３から出力され、ＤＡコンバータ４６によりアナログデータに変換されたアナログ画像データの供給を受け、メイン画面とスクロールインデックスからなる表示画面を表示する。
【０１４８】
ステップＳ６０において、システムコントローラ１６１は、赤外線受信部１１を介して、リモートコマンダ２から供給される信号を基に、ユーザから、スクロールインデックス表示の終了の操作を受けたか否かを判断する。
【０１４９】
ステップＳ６０において、スクロールインデックス表示の終了の操作を受けていないと判断された場合、ステップＳ６１において、システムコントローラ１６１は、赤外線受信部１１を介して、リモートコマンダ２から供給される信号を基に、ユーザから、スクロールインデックスのスクロールの操作を受けたか否かを判断する。ステップＳ６１において、スクロールインデックスのスクロールの操作を受けていないと判断された場合、処理は、ステップＳ６０に戻り、それ以降の処理が繰り返される。
【０１５０】
ステップＳ６１において、スクロールインデックスのスクロールの操作を受けたと判断された場合、ステップＳ６２において、制御部１７２は、システムコントローラ１６１の制御に基づいて、表示画像メモリ１７４のインデックス画面用動画格納領域２１１から読み出すデータを、ユーザの操作入力に応じて、１ライン、もしくは数ラインずらして読み込む。ステップＳ６２の処理の終了後、処理は、ステップＳ５７に戻り、それ以降の処理が繰り返される。
【０１５１】
ステップＳ６０において、スクロールインデックス表示の終了の操作を受けたと判断された場合、処理が終了される。
【０１５２】
このような処理により、スクロールインデックスに動画が表示されるような場合においても、デジタル信号からアナログ信号、または、アナログ信号からデジタル信号への変換による画像の劣化を引き起こすことなく、移動する動画像に付加される情報を、画像の移動に追従させて、滑らかに移動させて表示させることができる。
【０１５３】
以上において説明した処理により、従来のように、画像処理前のアナログ画像信号に対して、専用のマイクロコンピュータや高速スイッチＩＣなどを用いて、文字情報などを重畳させる処理を行うことなく、簡単な処理で、動画、または静止画を表示させるためのデジタル画像信号に対して、例えば、チャンネル番号、放送局を表すロゴマーク、番組の内容を示すＥＰＧなどの、表示画像とともに表示させる付加情報を書き込むことができる。
【０１５４】
したがって、本発明を適用することにより、アナログ信号のみならずデジタル信号の放送波を受信することができる場合においても、デジタル信号からアナログ信号、または、アナログ信号からデジタル信号への変換による画像の劣化を引き起こすことなく、動画像に所定の情報を付加させて表示させたり、移動する画像に付加される情報を、画像の移動に追従させて、滑らかに移動させて表示させることができる。また、本発明の構成を用いることにより、従来の装置に用いられていた専用のマイクロコンピュータや高速スイッチＩＣなどを省略することが可能となるので、装置の小型化およびコストダウンが可能となる。
【０１５５】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１５６】
この記録媒体は、図８に示すように、コンピュータとは別に、ユーザにプログラムを提供するために配布される、プログラムが記録されている磁気ディスク１８１（フレキシブルディスクを含む）、光ディスク１８２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク１８３（ＭＤ（Ｍｉｎｉ−Ｄｉｓｋ）（商標）を含む）、もしくは半導体メモリ１８４などよりなるパッケージメディアなどにより構成される。
【０１５７】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１５８】
【発明の効果】
このように、本発明によれば、画像とともに、付加情報を表示させるようにすることができる。特に、移動または拡大縮小されて表示される画像上に付加されて表示される付加情報を、画像とともに、滑らかに移動または拡大縮小させて表示させるようにすることができる。
【０１５９】
また、他の本発明によれば、画像とともに、付加情報を表示させるようにすることができる。特に、動画像に情報を付加して表示させるようにすることができる。
【図面の簡単な説明】
【図１】テレビジョン受像機およびリモートコマンダの外観構成を示す図である。
【図２】インデックス表示モードについて説明するための図である。
【図３】インデックス表示モードについて説明するための図である。
【図４】インデックス表示モードを実行することができる従来のテレビジョン受像機の構成を示すブロック図である。
【図５】図４の画像処理部の構成を示すブロック図である。
【図６】図５のメモリのメモリマップについて説明するための図である。
【図７】本発明を適用したテレビジョン受像機の構成を示すブロック図である。
【図８】図７の画像処理部の構成を示すブロック図である。
【図９】図８の表示画像メモリのメモリマップについて説明するための図である。
【図１０】スクロールインデックス表示処理１について説明するためのフローチャートである。
【図１１】スクロールインデックス表示処理１について説明するためのフローチャートである。
【図１２】動画像に対する付加情報表示処理について説明するためのフローチャートである。
【図１３】図８の表示画像メモリのメモリマップの異なる形態について説明するための図である。
【図１４】スクロールインデックス表示処理２について説明するためのフローチャートである。
【図１５】スクロールインデックス表示処理２について説明するためのフローチャートである。
【符号の説明】
１２  表示部，  ２１  メイン画像表示エリア，  ２２  スクロールインデックス表示エリア，  ９１  メイン画像データ拡大縮小処理部，  ９２サブ画像データ拡大縮小処理部，  ９６  画面合成部，  １０１  メインの映像信号用格納領域，  １０２  サブの映像信号用格納領域，  １０３  インデックス画面用静止画格納領域，  １０４  読み出しエリア，  １６１  システムコントローラ，１６３  画像処理部，  １７１  画面分割処理部，  １７２  制御部，  １７３  付加情報メモリ，  １７４  表示画像メモリ，  １９１，１９２  メモリコントローラ，  ２０１  付加情報格納領域，  ２１１  インデックス画面用動画格納領域
【図１】
2004349949.tif 000003
【図２】
2004349949.tif 000004
【図３】
2004349949.tif 000005
【図４】
2004349949.tif 000006
【図５】
2004349949.tif 000007
【図６】
2004349949.tif 000008
【図７】
2004349949.tif 000009
【図８】
2004349949.tif 000010
【図９】
2004349949.tif 000011
【図１０】
2004349949.tif 000012
【図１１】
2004349949.tif 000013
【図１２】
2004349949.tif 000014
【図１３】
2004349949.tif 000015
【図１４】
2004349949.tif 000016
【図１５】
2004349949.tif 000017